(57)【要約】【課題】上下階居室の各々から利用可能な空間を広くできる建物を提供することを目的とする。【解決手段】上階居室および下階居室を有する建物であって、上階居室の床下かつ下階居室の天井の上に上階居室および下階居室より天井高さの低い収納用空間を形成する。この収納用空間は、その内部を２つに仕切る壁を設け、この壁はラチス梁４４１を備えて構成されている。ラチス梁４４１は上下に対向配置された梁部４４１Ａと、これらの梁部４４１Ａの間に斜めに接合固定されるラチス部４４１Ｂとを備えている。【選択図】  図７
2006037714.tif 000002
【特許請求の範囲】
【請求項１】
上下階に上階居室および下階居室を有する建物であって、前記上階居室の床下かつ前記下階居室の天井の上に前記上階居室および下階居室より天井高さの低い空間を形成し、この空間は、その内部を２つに仕切る壁を設け、この壁はラチス梁を備えて構成したことを特徴とする建物。
【請求項２】
請求項１に記載された建物において、前記空間は収納用空間であることを特徴とする建物。
【請求項３】
請求項１または請求項２に記載された建物において、前記上階居室、前記下階居室および前記空間はそれぞれ柱および梁を備えたユニットから構成されていることを特徴とする建物。
【請求項４】
請求項３に記載された建物において、前記ラチス梁は上下に対向配置された梁部と、これらの梁部の間に斜めに接合固定されるラチス部とを備え、前記梁部は前記空間を構成するユニットの互いに対向する梁に固定されていることを特徴とする建物。
【請求項５】
請求項１から請求項４のいずれかに記載された建物において、前記ラチス梁の梁背は前記空間の高さと略同じであることを特徴とする建物。
【請求項６】
請求項２から請求項５のいずれかに記載された建物において、前記ラチス梁の下端部は前記収納用空間を構成する面材に一体形成され、前記ラチス梁の上端部は前記上階居室の床部に一体形成されていることを特徴とする建物。
【発明の詳細な説明】
【技術分野】
【０００１】
本発明は、建物の上下階間に形成される収納庫を備えた建物に関する。
【背景技術】
【０００２】
従来、建物の床下や天井裏を収納庫として利用するようにした建物が利用されている。このような収納庫を形成した建物とすれば、通常使用されていない天井裏や床下の空間を有効利用することが可能となり、建物内部の空間の利用率を向上することができる。
一方、工場で製造された箱状の建物ユニット（居室ユニット）を建築現場で組み合わせて形成されるユニット式建物が利用されている。このユニット式建物に上述した収納庫を形成する場合、上下に積み重ねられた上階居室ユニットおよび下階居室ユニットの間に、これらのユニットよりも高さ寸法の小さい収納用ユニットを介装し、当該収納用ユニットの内部を収納庫としている。
【０００３】
ここで、集合住宅として用いられる建物において、上階と下階とが別個の住戸となる場合には、耐火性能を有する床面材で形成された界床で上下の階を仕切り、一方の住戸から他方の住戸への火災の延焼を防止している。
一方、このような集合住宅において、上階の床および下階の天井との間に水平面材を設け、いわゆる天井フトコロを上下に仕切ることにより、上階用の収納庫および下階用の収納庫の両方を形成することが考えられる。
【発明の開示】
【発明が解決しようとする課題】
【０００４】
しかしながら、このような収納庫では、天井フトコロの高さ寸法が十分にとれないので、収納庫として有効に利用することができないという問題がある。
また、収納庫として有効に利用するために、天井フトコロの高さを拡張しようとすると、建物の高さ寸法を著しく大きくしてしまうという問題がある。
【０００５】
本発明の目的は、上下階居室の各々から利用可能な収納庫を形成しかつ建物を著しく高くすることのない建物を提供することにある。
【課題を解決するための手段】
【０００６】
本発明の建物は、上下階に上階居室および下階居室を有する建物であって、前記上階居室の床下かつ前記下階居室の天井の上に前記上階居室および下階居室より天井高さの低い空間を形成し、この空間は、その内部を２つに仕切る壁を設け、この壁はラチス梁を備えて構成したことを特徴とする。
ここで、前記空間は収納用空間であることが好ましい。
前記上階居室、前記下階居室および前記空間はそれぞれ柱および梁を備えたユニットから構成されていることが好ましい。
前記ラチス梁は上下に対向配置された梁部と、これらの梁部の間に斜めに接合固定されるラチス部とを備え、前記梁部は前記空間を構成するユニットの互いに対向する梁に固定されている構成が好ましい。
前記ラチス梁の梁背は前記空間の高さと略同じであることが好ましい。
前記ラチス梁の下端部は前記収納用空間を構成する面材に一体形成され、前記ラチス梁の上端部は前記上階居室の床部に一体形成されている構成が好ましい。
【０００７】
建物の収納構造は、図１の建物の縦断面図を参照して説明すれば、建物１の上下階２、３間に形成される収納庫４を備えた建物の収納構造であって、前記収納庫の上面には前記建物の上階２から出入り可能な上階用開口部５が形成されているとともに、その下面には前記建物の下階３から出入り可能な下階用開口部６が形成され、これらの上階用開口部および下階用開口部の平面位置が互いに異なることを特徴とする。
このような本発明によれば、収納庫に上下階両方から出入り可能な開口部が設けられているので、建物を著しく高くすることなく上下階各々の専用の収納庫が形成可能となるうえ、下階用開口部および上階用開口部の平面位置が互いに異なっているので、それぞれの開口部を利用して上階用の収納庫と下階用の収納庫との区分けが容易になる。
また、高さ寸法のある収納庫が上階居室部と下階居室部との間に全面に亘って形成されているので、集合住宅で必要とされる十分な遮音構造が容易に確保される。さらに、収納庫に収納物が増えると、遮音性能が一層向上するという利点もある。
【０００８】
以上において、上階の床面と下階の天井面との間には、縦断面が矩形波状となる仕切面部７が設けられ、この仕切面部が上階および下階の平面全体を上下に仕切るとともに、仕切面部の上方に開口された内部が上階用の収納庫とされ、仕切面部の下方に開口された内部が下階用の収納庫とされているのが好ましい。
すなわち、上下階を仕切る仕切面部が矩形波状の縦断面を有し、収納庫が仕切面部を構成する垂直面材８によって区画されるので、収納庫の上階用開口部が設けられた部分を上階専用の収納庫とし、下階用開口部が設けられた部分を下階専用の収納庫とすることが可能となる。
【０００９】
また、仕切面部としては、水平に設けられる水平面材９と垂直に設けられる垂直面材８とを有し、これらの面材は耐火性能を備え、前記水平面材が界床となるとともに、前記垂直面材が界壁となる仕切面部を採用するのが好ましい。
すなわち、水平面材および垂直面材が耐火性能を備えているので、建物の上下階の全面に亘って形成される仕切面部が耐火的に区画され、上下階の一方から他方への火災の延焼が確実に防止される。
【００１０】
また、垂直面材としては、上階の床面を支持するラチス梁等の梁４４１を備えた垂直面材を採用するのが好ましい。
垂直面材が梁を備えているので、仕切面部を形成することにより、ラチス梁等の大断面の梁が所定の間隔をおいて複数配置されることとなるので、高強度の床構造を有する建物を形成することが可能となるうえ、梁自身が垂直面材の下地骨組部材ともなるので、省部材化をも図られる。
【００１１】
さらに、図２以下の図面の符号を参照して説明すると、建物が複数の略箱状の建物ユニットを組み合わせて形成されるユニット式建物１０である場合、当該建物の上階に配置される上階居室ユニット２０と、この上階居室ユニット２０の下階に配置される下階居室ユニット３０と、前記上階居室ユニットおよび前記下階居室ユニットの間に介装される収納用ユニット４０とを有し、仕切面部７を構成する垂直面材８および水平面材９はこの収納ユニットに設けられているのが好ましい。
すなわち、仕切面部を構成する水平面材および垂直面材が収納ユニットに設けられているので、収納ユニットを上階居室ユニットと下階居室ユニットとの間に介装するだけで矩形波状の仕切面部を形成することが可能となる。
【００１２】
また、上述した垂直面材は、ラチス梁４４１とこのラチス梁４４１の両側を覆う耐火被覆材４４２とを備えているのが好ましい。
ここで、耐火被覆材とは、金属製のラチス梁を覆って熱的に保護する面材をいい、例えば、珪酸カルシウム板やロックウール板等が考えられる。
すなわち、垂直面材がラチス梁およびこのラチス梁を覆う耐火被覆材からなる壁用耐火パネルによって形成されているので、当該壁用耐火パネルの軽量化を図ることが可能となり、収納用ユニット全体の軽量化が図られる。
【００１３】
さらに、水平面材は軽量気泡コンクリート（以下ＡＬＣ）からなっているのが好ましい。
すなわち、水平面材がＡＬＣ板からなっているので、水平面材を備えた収納用ユニット４０の軽量化が図られるとともに、ＡＬＣ板の厚みによる遮音性の向上が図られ、気泡を内部に含むことによる断熱性の向上が図られる。
【００１４】
そして、上述したユニット式建物が複数の住戸５０、６０を有する集合住宅である場合に本発明に係る建物の収納構造を採用するのが好ましい。
すなわち、集合住宅では、上下階に異なる住戸が設定された場合、上下階の居室間の火災の延焼を確実に防止する必要があるので、耐火性能を有する面材により形成された仕切部の有用性は一層向上するうえ、上下階の各住戸にそれぞれ専用の収納庫を形成することが可能となる。
また、集合住宅（１０）の場合、２階住戸用の電気、給排水設備７１、７２、７３、７４の配線、配管７５のためのスペースを２階居室部の床下に確保しなければならないが、収納庫を利用して配線、配管を行うことが可能となるので、配線、配管用のスペースを別途新たに確保する必要もない。
【発明を実施するための最良の形態】
【００１５】
本発明の第１実施形態を図面に基づいて説明する。
図２には、本発明の第１実施形態に係る建物の収納構造を備えたユニット式建物が示されている。
ユニット式建物１０は、上階居室部２と、下階居室部３と、上下階居室部２、３間に形成される収納庫４と、を含んで形成され、内部に６住戸を有する２階建ての集合住宅である。
また、ユニット式建物１０の外側には、外廊下１３と、上階への昇降用階段１４と、バルコニ１５とが突出して形成され、上述した収納庫４は、外廊下１３およびバルコニ１５の床下まで拡張されている。
【００１６】
このようなユニット式建物１０は、略箱状の上階居室ユニット２０および下階居室ユニット３０を組み合わせて形成され、上下に積み重ねられる上階居室ユニット２０および下階居室ユニット３０の間には、収納用ユニット４０が介装され、収納用ユニット４０の屋外側面には、外廊下１３を形成する外廊下ユニット１３０と、バルコニ１５を形成するバルコニユニット１５０が突出して設けられる。
尚、上階居室ユニット２０および下階居室ユニット３０は共に、四隅に立設される柱２１と、これらの柱２１の上端間、下端間を連絡する梁２２とを含んで形成され、高さ寸法Ｈ１の箱状のユニットであり、介装される収納用ユニット４０の高さ寸法Ｈ２は、このＨ１よりも小さくなっている。
【００１７】
ユニット式建物１０内の住戸配置は、図３の２階部分の平面配置図に示されるように、前記上階居室ユニット２０を短辺方向に３つつなぎ合わせた空間に１の住戸５０が設定され、２階部分に異なる３つの住戸５０が居住可能となっている。そして、ユニット式建物１０の外周は、ＡＬＣ板からなる外周壁１１により仕切られているとともに、隣り合う住戸５０の間は界壁１２によって仕切られている。
また、図３中左側の住戸５０に示されるように、居室内に洗面所７１、トイレ７２、キッチン７３、風呂７４が設けられ、これらは２階居室部２の床下に配置される収納庫４の上面部近傍に配管される給排水管７５が接続されている。
この給排水管７５の端部は、パイプシャフト７６内で下方一階に至る給排水管７７に接続されている。
尚、図３における他の住戸５０もこれと同様の給排水管が配管されている。
【００１８】
また、ユニット式建物１０の上下間の配置は、図４の断面図に示されるように、上階居室部２に設定される住戸５０と下階居室部３に設定される住戸６０とが対応配置され、上下階居室部２、３間は仕切面部７によって仕切られている。
この仕切面部７は、垂直面材８と水平面材９とを矩形波状に組み合わせて形成され、垂直面材８および水平面材９の配置されていない部分には、上階用開口部５および下階用開口部６が形成され、その平面位置は互いに異なっている。
【００１９】
このような仕切面部７は、収納用ユニット４０を複数個並設することにより形成される。
垂直面材８は後述する壁用耐火パネル４４０と、隣接する２つの収納用ユニット４０同士の対向側面とを含んで形成される。
水平面材９は後述する下面用耐火パネル４１１および上面用耐火パネル４２１によって形成される。
そして、壁用耐火パネル４４０によって、収納用ユニット４０の内部は上階用収納庫４１０と下階用収納庫４２０とに区画されている。
そして、上下階に対応設定される住戸５０および住戸６０間は、収納用ユニット４０を仕切る壁用耐火パネル４４０と、下階用収納庫４２０の上面を覆う上面用耐火パネル４２１と、上階用収納庫４１０の下面を覆う下面用耐火パネル４１１とによって区画され、住戸５０および住戸６０間の一方から他方への火災の延焼を防止する界床および界壁となっている。
【００２０】
収納用ユニット４０は、図５に示されるように、四隅に立設される柱４０１と、これらの柱４０１の上端間、下端間を連絡する梁４０２とからなる箱状のフレーム４０３を備え、その略中央部が垂直面材８の一部となる壁用耐火パネル４４０によって仕切られ、それぞれの部分が上階用収納庫４１０、下階用収納庫４２０とされる。
また、収納用ユニット４０の短辺を形成する側面には、珪酸カルシウム板４０４が貼られ、当該側面の梁４０２および柱４０１は、この珪酸カルシウム板４０４と、隣り合う収納用ユニット４０の珪酸カルシウム板４０４とによって耐火被覆され、上述した壁用耐火パネル４４０以外の垂直面材８の部分を構成している。
【００２１】
上階用収納庫４１０の下面はＡＬＣ製の下面用耐火パネル４１１で覆われているとともに、下階用収納庫４２０の上面もＡＬＣ製の上面用耐火パネル４２１で覆われている。
また、下階用収納庫４２０の下面には、互いに対向配置される収納用ユニット４０の下側の梁４０２間に根太４２２（図４では図示略）が架設され、この根太４２２には、下階用収納庫４２０の床面を形成する床面材４２３が貼られている。
尚、ユニット式建物１の屋外端部に配置される収納用ユニット４０の外側には、前述したように、バルコニユニット１５０および外廊下ユニット１３０が接合されるが、これらのユニット１３０、１５０は、軸組構造の箱状フレームの上面、下面のそれぞれに床面材を敷設し、側面を外壁材で覆うとともに、中央部に仕切を設けたものである。
そして、このようなユニット１３０、１５０が前述した収納用ユニット４０に接合されて、ユニット式建物１０の収納庫４が拡張されている。
【００２２】
上述した収納用ユニット４０は、前述の如く上階居室ユニット２０および下階居室ユニット３０の間に、図６に示すような納まりで介装されている。
尚、上階居室ユニット２０の下側には、床面材２３を固定するための根太２４が複数本設けられているとともに、下階居室ユニット３０の上側には、天井面材２５が固定される天井小梁２６が複数本設けられている。
上階用収納庫４１０は、前記下面用耐火パネル４１１の上面を床スラブとしてこの上に床仕上げ材４１２が敷設されている。
【００２３】
そして、下面用耐火パネル４１１と対向する収納用ユニット４０の上面側には、上階居室ユニット２０の床面材２３が延出配置されている。この床面材２３の一部に矩形状の上階用開口部５が形成され、この上階用開口部５の下部に設けられる昇降用階段４１３によって、上階用収納庫４１０に出入り可能となっている。尚、上階用収納庫４１０を使用しない場合には、扉４１４により上階用開口部５を塞ぎ、上階居室ユニット２０内での歩行の障害とならないようになっている。
【００２４】
下階用収納庫４２０は、前記上面用耐火パネル４２１を天井面とし、この上面用耐火パネル４２１と対向する収納用ユニット４０の下面側には、下階居室ユニット３０の天井面材２５が延出配置され、この天井面材２５の上部に前述した床面材４２３、根太４２２からなる下階用収納庫４１０の床面が形成されている。上記天井面材２５および床面材４２３にはその一部に矩形状の下階用開口部６が形成され、下階居室ユニット３０からの出入りが可能となっている。尚、下階用開口部６には、収納可能な昇降用梯子４２４と扉４２５とが設けられており、扉４２５を開けて昇降用梯子４２４を降ろすことにより、下階用収納庫４２０への出入りが可能となる。
【００２５】
垂直面材８の一部を構成する壁用耐火パネル４４０は、図７に示すように、ラチス梁４４１の両側面と、上下面を珪酸カルシウム板４４２で覆った複合パネルである。
ラチス梁４４１は、上下に対向配置された２本のＣ形鋼からなる梁部４４１Ａと、これらの梁部４４１Ａ間に斜めに接合固定される等辺山形鋼からなるラチス部４４１Ｂとを備え、梁部４４１Ａは、図７では図示を略したが、前記収納用ユニット４０の互いに対向する梁４０２（図５における長辺方向に延出する梁４０２）に溶接されて接合固定されている。また、梁部４４１Ａのウエブの内面とラチス部４４１Ｂの山形鋼の外面とは、溶接により接合され、このラチス梁４４１の両側が珪酸カルシウム板で覆われて、壁用耐火パネル４４０は軽量かつ高強度になっている。
【００２６】
上面用耐火パネル４２１および下面用耐火パネル４１１は、共に一方の端部が上記壁用耐火パネル４４０のラチス梁４４１に支持されているとともに、他方の端部は、収納用ユニット４０の梁４０２によって支持されている。
上面用耐火パネル４２１は、図７に示されるように、その端部がラチス梁４４１の上側の梁部４４１Ａのウエブ外側面に溶接されたＬアングル４２６によって壁用耐火パネル４４０に支持されている。尚、上面用耐火パネル４２１とＬアングル４２６との固定は、図７では図示を略したが、Ｌアングル４２６に所定ピッチで孔を開けておくとともに、上面用耐火パネル４２１に埋め込みナットを複数設け、当該孔にボルトを挿通してＬアングル４２６と上面用耐火パネル４２１とを接合することによって行われる。
【００２７】
上面用耐火パネル４２１は、当該Ｌアングル４２６の延出方向に沿って延びる断面Ｌ字状の切り欠きを有し、この切り欠きにＬアングル４２６の突出片が収納される。そして、上面用耐火パネル４２１と、ラチス梁４４１の側面を覆う珪酸カルシウム板４４２と、上面を覆う珪酸カルシウム板４４２とによってＬアングル４２６はラチス梁４４１と共に耐火被覆されている。
上述と同様に、ラチス梁４４１の下側の梁部４４１ＡにもＬアングル４２７が溶接接合されており、このＬアングル４２７が下面用耐火パネル４１１を支持するとともに、ラチス梁４４１の下面に固定される珪酸カルシウム板４４２によってラチス梁４４１とともに、Ｌアングル４２７も耐火被覆されている。
【００２８】
上面用耐火パネル４２１の他の端部は、図８に示すように、収納用ユニット４０の梁４０２にＬアングル４２８および接合金物４２９によって支持されている。
収納用ユニット４０の前記梁４０２の内側には、断面Ｃ形状の接合金物４２９が嵌合固定されているとともに、この接合金物４２９には、Ｌアングル４２８が溶接接合される。
このＬアングル４２８に上面用耐火パネル４２１が載せられ、上述と同様に接合固定されるとともに、Ｌアングル４２８は、収納用ユニット４０の短辺方向側面を覆う珪酸カルシウム板４０４によって梁４０２とともに耐火被覆されている。
尚、下面用耐火パネル４１１も上述と略同様に支持固定され、珪酸カルシウム板４０４によって耐火被覆されている。
【００２９】
このような第１実施形態によれば、次のような効果がある。
収納庫４に上下階両方から出入り可能な開口部５、６が設けられているので、ユニット式建物１０を著しく高くすることなく上下階各々の専用の収納庫４１０、４２０を形成することができるうえ、下階用開口部６および上階用開口部５の平面位置が互いに異なっているので、それぞれの開口部を利用して上階用収納庫４１０と下階用収納庫４２０との区分けを容易に行うことができる。
【００３０】
また、上下階居室部２、３を仕切る仕切面部７が矩形波状の縦断面を有し、収納庫４が仕切面部７を構成する垂直面材８によって区画されるので、収納庫４の上階用開口部５が設けられた部分を上階２の専用の収納庫４１０とし、下階用開口部６が設けられた部分を下階３の専用の収納庫４２０とすることができる。
さらに、ユニット式建物１０の上下階居室部２、３を仕切る仕切面部７が耐火性能を有する面材４１１、４２１、４４０によって形成されているので、上下階２、３の一方から他方への火災の延焼を確実に防止することができ、仕切面部７を上下に異なる住戸５０、６０間の界床および界壁とすることができる。
【００３１】
そして、仕切面部７を構成する垂直面材８および水平面材９が収納用ユニット４０に設けられているので、収納用ユニット４０を上階居室ユニット２０と下階居室ユニット３０との間に介装するだけで矩形波状の仕切面部７を形成することができる。
また、垂直面材８がラチス梁４４１およびこのラチス梁４４１を覆う耐火被覆材（珪酸カルシウム板）４４２からなる壁用耐火パネル４４０によって形成されているので、当該壁用耐火パネル４４０の軽量化を図ることができ、収納用ユニット４０全体の軽量化を図ることができる。
【００３２】
さらに、水平面材９である上面用耐火パネル４２１と下面用耐火パネル４１１とがＡＬＣ板からなっているので、これらのパネル４１１、４２１が取り付けられた収納用ユニット４０の軽量化を図ることができるうえ、ＡＬＣ板の厚みによる遮音性の向上を図ることができ、気泡を内部に含むことによる断熱性の向上を図ることができる。
そして、高さ寸法のある収納庫４が上階居室部２と下階居室部１との間に全面に亘って介装形成されているので、集合住宅で必要とされる十分な遮音構造を容易に確保することができる。さらに、収納庫に収納物が増えると、遮音性能が一層向上するという利点もある。
【００３３】
図９には本発明の第２実施形態が示されており、図９は第１実施形態における図６に相当する図である。尚、以下の説明では、既に説明した部材又は部分と同一の部材又は部分には、同一符号を付し、その説明を省略又は簡略にする。
第１実施形態では、上階居室ユニット２０には、床面材２３が設けられていたのに対して、第２実施形態の上階居室ユニット１２０には設けられておらず、収納用ユニット４０の上面用耐火パネル４２１を床面としている点が相違する。
【００３４】
上階居室ユニット１２０の床面は、下階用収納庫４２０の上面を覆う上面用耐火パネル４２１と上階用収納庫４１０の下面用耐火パネル４１１に対向配置され、上階用収納庫４１０の上面を覆う木質パネル４５０とによって形成されている。
この木質パネル４５０は、収納用ユニット４０の互いに対向配置される２本の梁４０２間に架設される根太４５１と、この根太４５１上に貼られる床面材４５２とを含んで形成され、この木質パネル４５０に上階用開口部５が設けられている。
【００３５】
このように上階居室ユニット１２０の床面を収納用ユニット４０の上面とすることにより、上階居室ユニット１２０の天井高さをより大きくとることができるので、上階の居室空間を開放感のあるものとすることができる。
また、垂直面材８を構成する壁用耐火パネル４４０がラチス梁４４１のような大断面の梁を備え、このラチス梁４４１が床面材を兼ねるＡＬＣ板製の上面用耐火パネル４２１を支持することとなるため、２階居室部２の床構造を高強度とすることができるうえ、当該ラチス梁４４１が珪酸カルシウム板４４２の止め付け下地をも兼ねているので、高強度の床構造を省部材で形成することができる。
【００３６】
尚、本発明は、前述の実施形態に限定されるものではなく、次に示すような変形等をも含むものである。すなわち、前述の実施形態では、壁用耐火パネル４４０は、ラチス梁４４１とこのラチス梁４４１の両側を覆う珪酸カルシウム板４４２とを含んで形成されていたが、これに限らず、ＡＬＣ板単体で壁用耐火パネルを形成し、これを垂直面材として仕切面部を形成してもよい。
【００３７】
また、前述の実施形態では、水平面材９である上面用耐火パネル４２１、下面用耐火パネル４１１はＡＬＣ製の面材であったがこれに限らず、セメント押し出し成形板等であってもよい。
要するにこれらの耐火パネル４１１、４２１、４４０は、延焼防止という機能を備えている他、要求されるパネルとしての性能に応じてその材料、構成を適宜選択すればよい。
【００３８】
さらに、前述の実施形態では、収納庫４はバルコニ１５および外廊下１３の床下部分まで拡張されていたが、これに限らず、居室部分２、３の平面形状に対応する平面形状の収納庫としてもよい。要するに建物の居室部分の床下全体に収納庫が形成されていればよい。
そして、前述の実施形態では、複数の住戸を有する集合住宅となるユニット式建物１０に本発明に係る建物の収納構造を採用していたが、これに限らず、通常の戸建住宅として使用されるユニット式建物に本発明に係る収納用ユニット４０を用いてもよい。これにより、各個室間の火災の際の延焼を一層確実に防止することができる。
その他、本発明の実施の際の具体的な構造および形状等は、本発明の目的を達成できる範囲で他の構造等としてもよい。
【産業上の利用可能性】
【００３９】
本発明は、収納庫を備えた建物に利用することができる。
【図面の簡単な説明】
【００４０】
【図１】本発明に係る建物の収納構造を表す模式断面図である。
【図２】本発明の第１実施形態に係る建物の収納構造を採用したユニット式建物を表す概要斜視図である。
【図３】前述の実施形態におけるユニット式建物の平面配置図である。
【図４】前述の実施形態におけるユニット式建物の垂直断面図である。
【図５】前述の実施形態における収納用ユニットを表す概要斜視図である。
【図６】前述の実施形態における上階居室ユニットと下階居室ユニットとの間に収納用ユニットが介装された納まりを示す断面詳細図である。
【図７】前述の実施形態における壁用耐火パネルの構造と、上面用耐火パネル、下面用耐火パネルの接合構造を表す概要斜視図である。
【図８】前述の実施形態における上面用耐火パネルと収納用ユニットのフレームとの接合構造を表す概要斜視図である。
【図９】本発明の第２実施形態を表す、図６に相当する断面詳細図である。
【符号の説明】
【００４１】
１  建物
４  収納庫
５  上階用開口部
６  下階用開口部
７  仕切面部
８  垂直面材
９  水平面材
１０  ユニット式建物
２０  上階居室ユニット
３０  下階居室ユニット
４０  収納用ユニット
５０、６０  住戸
４１０  上階用収納庫
４２０  下階用収納庫
４４０  壁用耐火パネル
４４１  ラチス梁
【図１】
2006037714.tif 000003
【図２】
2006037714.tif 000004
【図３】
2006037714.tif 000005
【図４】
2006037714.tif 000006
【図５】
2006037714.tif 000007
【図６】
2006037714.tif 000008
【図７】
2006037714.tif 000009
【図８】
2006037714.tif 000010
【図９】
2006037714.tif 000011